(57)【要約】【課題】コードリールの絶縁構造のコンパクト化をはかりつつ、その絶縁構造を利用して胴部材をその内面から補強することにより、金属胴の場合における凹みを防止することである。【解決手段】胴部材９の内周面に沿った位置にコードリール１１を収納し、そのコードリール１１側面に設けられた端子１３を胴部材９の内面に対向する向きに配置してなる炊飯器において、肩部材８にコードリール１１の端子１３と胴部材９の間に延び出した端子カバー２８を設け、その端子カバー２８を胴部材９の内面に接触させた構成とした。【選択図】図２
2006081677.tif 000002
【特許請求の範囲】
【請求項１】
炊飯器本体の胴部材の内周面に沿った位置にコードリールを収納し、そのコードリールの一方の側面に設けられた端子を前記胴部材の内面に対向する向きに配置してなる炊飯器において、前記炊飯器本体の肩部材又は底部材の一部に前記コードリールの端子と胴部材の間に延び出した端子カバーを設け、該端子カバーを前記胴部材の内面に接触させたことを特徴とする炊飯器。
【請求項２】
前記端子カバーの内面にコードリールの端子と対向した絶縁シートを装着したことを特徴とする請求項１に記載の炊飯器。
【請求項３】
前記端子カバーの内面に前記絶縁シートを保持するためのリブを設けたことを特徴とする請求項１又は２に記載の炊飯器。
【請求項４】
前記端子カバーを設けた肩部材又は底部材のうち、該端子カバーを設けない方の部材に該端子カバーに対し上下方向に対向した位置に前記絶縁シートの係合部を設けたことを特徴とする請求項２又は３に記載の炊飯器。
【発明の詳細な説明】
【技術分野】
【０００１】
この発明は炊飯器に関し、特に炊飯器のコードリールの絶縁構造と胴部材の補強構造とを兼用したものである。
【背景技術】
【０００２】
電気炊飯器に電源を供給するために、従来から炊飯器本体の内部にコードリールを収納した構造がとられている。そのコードリールの一側面に内部の電源コードに接続された端子が設けられ、その端子に加熱部等に通電するためのリード線が接続される。前記のコードリールは端子が炊飯器の胴部材の内面に対向するような向きで収納されるが、その端子は充電部であるので胴部材との間の絶縁を図るべく、従来から様々な絶縁構造がとられている。
【０００３】
前記絶縁構造として、一般的なものは端子と胴部材との間に一定以上の絶縁距離を置く構造であるが、この構造は製品のコンパクト化を妨げる問題がある。また、前記の端子の部分を含めコードリール全体を樹脂成形品でカバーする構造が採られる場合もある（特許文献１）。
【０００４】
一方、炊飯器の胴部材は通常樹脂成形品が用いられるが、主としてデザイン的な観点からステンレス鋼等のプレス成形品による金属胴が用いられる場合もある（特許文献２）。
【特許文献１】特開２００４−８９２２５号公報
【特許文献２】特開２００３−２１０３１５号公報
【発明の開示】
【発明が解決しようとする課題】
【０００５】
今日、炊飯器においてはコンパクト化、低コスト化、ニューデザイン等の要請が引き続き高いため、前記のコードリールの絶縁構造についてもコンパクト化、低コスト化が望まれている。しかし、前記のように絶縁距離を置く構造はコンパクト化を妨げ、また樹脂カバーを装着するものは低コスト化を妨げる問題がある。また、金属胴の炊飯器は使用中等において他の物に衝突した際に胴部に凹みが生じ易く美感を損ない易い問題がある。
【０００６】
そこで、この発明は、炊飯器におけるコードリールの絶縁構造と金属胴の保護構造とを兼用することにより、コンパクト化、低コスト化の要請に応えつつ、金属胴を使用した場合のデザイン性の要請にも応えることを課題とする。
【課題を解決するための手段】
【０００７】
前記の課題を解決するために、この発明は、炊飯器本体の胴部材の内周面に沿った位置にコードリールを収納し、そのコードリールの一方の側面に設けられた端子を前記胴部材の内面に対向する向きに配置してなる炊飯器において、前記炊飯器本体の肩部材又は底部材の一部に前記コードリールの端子と胴部材の間に延び出した端子カバーを設け、該端子カバーを前記胴部材の内面に接触させた構成を採用した。この構成によると、肩部材又は底部材の一部に設けた端子カバーが端子の絶縁構造となり、同時にその壁部が胴部材をその内面から補強する作用を行う。
【０００８】
なお、前記端子カバーの内面にコードリールの端子と対向した絶縁シートを装着した構成や、前記端子カバーの内面に前記絶縁シートを保持するためのリブを設けた構成を採用することができる。
【０００９】
さらに、前記端子カバーを設けた肩部材又は底部材のうち、該端子カバーを設けない方の部材に該端子カバーに対し上下方向に対向した位置に前記絶縁シートの係合部を設けた構成を採ることもできる。この構造によると絶縁シートの姿勢が安定する。
【発明の効果】
【００１０】
この発明によれば、コードリールの端子と胴部材の間の絶縁構造として肩部材又は底部材に設けた端子カバーを胴部材の内面に接触させることにより、簡単な構造で端子の絶縁を図ることにより製品のコンパクト化、低コスト化を促進する一方、胴部材が内面から補強されるので金属胴の場合でも凹みが生じ難くその美感を長期に維持できる利点がある。また、前記の端子カバーの内面に絶縁シートを装着することにより、前記の利点を保持しつつ一層確実な絶縁を図ることができる。
【発明を実施するための最良の形態】
【００１１】
以下、添付図面に基づいてこの発明の実施の形態に係る炊飯器について説明する。図１及び図２に示したように、この炊飯器は、炊飯器本体１、ヒンジ部３（図２参照）によって取付けられた蓋２、炊飯器本体１の左右に装着したＵ字形のハンドル４を有するとともに、炊飯器本体１の内部に炊飯鍋５（図２参照）を収納し、炊飯器本体１の内底面に装着した電磁コイル６により炊飯鍋５を電磁誘導加熱するようになっている。炊飯器本体１は、底部材７と肩部材８の間に金属製の胴部材９を介在して一体化したものであり、その内部に前記の電磁コイル６、制御部等へ電源を供給するためのコードリール１１がヒンジ部３の下方に収納される。
【００１２】
コードリール１１は図３に示したように、そのケーシング１２の外側面の中央部に一対の端子１３が突出しており、その端子１３にそれぞれリード線１４が接続される。リード線１４は前記の電磁コイル６等に接続される。コードリール１１のケーシング１２の外周面に複数の係止片１５、１６、１７が設けられる。また、コード引き出し口１８に電源コードのプラグ１９が露出する。
【００１３】
図３に示したように、胴部材９の後面とこれに接した肩部材８の一部において、ヒンジ部３に対向した部分に四角形の窓穴２１が設けられ、その窓穴２１にヒンジ部蓋２２が着脱可能に取付けられる。ヒンジ部蓋２２はヒンジばね２３を含むヒンジ部３、図示省略のケーブル等を閉鎖する。
【００１４】
前記のヒンジ部蓋２２の内側において、肩部材８の内面にコードリール収納部２４が設けられる（図２、図４参照）。コードリール収納部２４は、円弧状の曲面を有する上端面２５の後端側縁にヒンジ部蓋２２に沿って垂下壁２６を設けている。その垂下壁２６の下端部２７はコードリール１１の端子１３の突出分を逃げる前後方向の幅を有し、その下端部２７に端子カバー２８が垂下される。端子カバー２８は前記窓穴２１より下方に延び出し、胴部材９の内面に接してほぼその上端縁に達する。端子カバー２８の左右の側辺には平面視Ｌ形の屈曲部２９、２９が設けられる（図４参照）。端子カバー２８には縦方向のスリット３１が設けられているが、これは端子カバー２８がこのスリット３１の両側に若干弾性変形が可能であるようにするためである。
【００１５】
前記の端子カバー２８の内面もマイカ等でなる四角形の絶縁シート３２が添えられる。絶縁シート３２の両側辺は前記の屈曲部２９、２９の内側に強制嵌合することにより、前記のスリット３１を左右に押し開く。これによって絶縁シート３２は左右の屈曲部２９、２９により弾性的に保持される。
【００１６】
図４に示したように、胴部材９の下端面を上向きにした状態でコードリール１１をその端子１３を外向きにして収納部２４に収納すると（同図の二点鎖線参照）、コードリール１１のケーシング１２の外周面の一部が前記の上端面２５に載り、係止片１５が上端面２５の一部に設けられた凹所２５’に嵌入される（図５参照）。また、端子１３とその周辺部分が絶縁シート３２に微小すき間をおいて対向する。また、端子１３の両側においてコードリール１１の絶縁部に突設された一対の絶縁突起３３、３３が端子１３より若干長く形成されており、その絶縁突起３３が絶縁シート３２に接触することにより、絶縁シート３２と端子１３との距離が一定に保持される。なお、絶縁シート３２を端子カバー２８の内面に保持するために、前記の屈曲部２９、２９の内面に保持リブ３０、３０が設けられ、これらの保持リブ３０、３０と端子カバー２８の内面との間に形成される縦溝に絶縁シート３２の両側辺を差し込むようにしている。
【００１７】
前記のコードリール収納部２４の内側において、肩部材８には規制片３４が設けられ（図２参照）、この規制片３４がコードリール１１の内面に接触することにより、コードリール１１の内側への倒れを防止する。
【００１８】
上記のようにしてコードリール１１をその収納部２４に収納したのち胴部材９に底部材７を被せ、プラグ１９を底部材７の引き出し穴３５から引き出すとともに、係止片１７を底部材７のスリット３６に嵌合する。しかるのちに、該底部材７を肩部材８とねじ結合部３７、３７（図２参照）において固定する。
【００１９】
以上のようにして組み立てた炊飯器を正立状態に戻すと、コードリール１１はその下端部が前記の係止片１７により底部材７のスリット３６で支持され、また上端部は肩部材８に設けた上端面２５で規制される。さらに、コードリール１１の外端面は絶縁突起３３が絶縁シート３２を介して端子カバー２８により、また内面が前記の規制片３４により支持される結果、炊飯器本体１の内部において安定する。また、充電部である端子１３は胴部材９との間に絶縁シート３２と端子カバー２８が介在されることにより絶縁される。さらに、端子カバー２８が胴部材９を内面から補強するため、外部からの衝撃等をその端子カバー２８が弾性変形して受けることにより金属製の胴部材９、いわゆる金属胴の凹みの発生を防止することができる。
【００２０】
図６（ａ）（ｂ）は、前記の絶縁シート３２を安定よく保持する手段を示している。即ち、底部材７が胴部材９下端の巻き込み縁３９を受ける周縁部４１の内側に対向して所要幅の支持片４２を設け、その支持片４２の外面に係合突起４３を設けている。これに対向して絶縁シート３２に係合穴４４が設けられる。絶縁シート３２を支持片４２の外面に沿わせるとともに、その係合穴４４を係合突起４３に係合させることによって絶縁シート３２の下端部を底部材７に対し保持させる。
【００２１】
以上の説明は、端子カバー２８を肩部材８と一体にこれから垂下して設ける構造について説明したが、この端子カバー２８は底部材７と一体に上向きに設けた構造を採ることができる。その場合、図６に示した支持片４２と係合突起４３は肩部材８に設けられる。
【００２２】
また、上記のいずれの場合においても端子１３と胴部材９との絶縁構造として、端子カバー２８を介在するだけで十分である場合は、絶縁シート３２を省略することができる。
【図面の簡単な説明】
【００２３】
【図１】実施形態の炊飯器の斜視図
【図２】同上の断面図
【図３】同上の組み立て途中の一部分解斜視図
【図４】同上の組み立て途中の一部分解斜視図
【図５】同上の組み立て後の一部断面図
【図６】（ａ）変形例の一部断面図、（ｂ）（ａ）図の場合の一部省略断面図
【符号の説明】
【００２４】
１  炊飯器本体
２  蓋
３  ヒンジ部
４  ハンドル
５  炊飯鍋
６  電磁コイル
７  底部材
８  肩部材
９  胴部材
１１  コードリール
１２  ケーシング
１３  端子
１４  リード線
１５  係止片
１６  係止片
１７  係止片
１８  コード引き出し口
１９  プラグ
２１  窓穴
２２  ヒンジ部蓋
２３  ヒンジばね
２４  コードリール収納部
２５  上端面
２６  垂下壁
２７  下端部
２８  端子カバー
２９  屈曲部
３０  保持リブ
３１  スリット
３２  絶縁シート
３３  絶縁突起
３４  規制片
３５  引き出し穴
３６  スリット
３７  ねじ結合部
３９  巻き込み縁
４１  周縁部
４２  支持片
４３  係合突起
４４  係合穴
【図１】
2006081677.tif 000003
【図２】
2006081677.tif 000004
【図３】
2006081677.tif 000005
【図４】
2006081677.tif 000006
【図５】
2006081677.tif 000007
【図６】
2006081677.tif 000008